(57)【要約】【課題】ユーザーの利便性を向上する。【解決手段】画像形成装置１００は、トナー供給部１３、画像形成部４、タッチパネル１４１、判定部８０１、算出部８０３及び表示部８０４を備える。判定部８０１は、トナー供給部１３に装着されたトナーコンテナＴＣが、第１コンテナＴＣ１であるか、第１コンテナＴＣ１と相違する第２コンテナＴＣ２であるかを判定する。算出部８０３は、トナーコンテナＴＣが第２コンテナＴＣ２であると判定部８０１が判定した場合に、画像形成部４が画像を用紙Ｐに形成するために消費されるトナーＴＮの消費量を算出する。表示部８０４は、第１消費量ＳＴ１に対する第２消費量ＳＴ２の比率をタッチパネル１４１に表示する。第１消費量ＳＴ１は、トナーコンテナＴＣが第１コンテナＴＣ１である場合のトナーＴＮの消費量を示す。第２消費量ＳＴ１は、トナーコンテナＴＣが第２コンテナＴＣ２である場合のトナーＴＮの消費量を示す。【選択図】図３
2019086613.tif 000002
【特許請求の範囲】
【請求項１】
消耗品を収容する交換部品が装着される装着部と、
前記消耗品を消費することによって記録媒体に画像を形成する画像形成部と、
ディスプレーと、
前記装着部に装着された前記交換部品が、第１交換部品であるか、前記第１交換部品と相違する第２交換部品であるかを判定する判定部と、
前記交換部品が前記第２交換部品であると前記判定部が判定した場合に、前記画像形成部が前記画像を前記記録媒体に形成するために消費される前記消耗品の消費量を算出する算出部と、
第１消費量に対する第２消費量の比率、又は前記第２消費量に対する前記第１消費量の比率を前記ディスプレーに表示する表示部と
を備え、
前記第１消費量は、前記交換部品が前記第１交換部品である場合の前記消耗品の消費量を示す、
前記第２消費量は、前記交換部品が前記第２交換部品である場合の前記消耗品の消費量を示す、画像形成装置。
【請求項２】
前記第２交換部品に収納された前記消耗品の残量を検出する検出部を更に備え、
前記算出部は、前記検出部の検出結果に基づいて、前記第２消費量を算出する、請求項１に記載の画像形成装置。
【請求項３】
前記検出部が検出した前記消耗品の残量が所定量以下である場合に、前記表示部は、前記第１消費量に対する前記第２消費量の比率、又は前記第２消費量に対する前記第１消費量の比率を前記ディスプレーに表示する、請求項２に記載の画像形成装置。
【請求項４】
前記算出部は、前記画像の印字率を算出し、前記印字率に基づいて前記第１消費量を算出する、請求項１から請求項３のいずれか１項に記載の画像形成装置。
【請求項５】
前記装着部には、複数色の消耗品をそれぞれ収容する複数の交換部品が装着され、
前記画像形成部は、前記複数色の消耗品を消費することによって前記記録媒体にカラー画像を形成可能であり、
前記判定部は、前記複数の交換部品の各々が前記第１交換部品であるか、前記第２交換部品であるかを判定し、
前記表示部は、前記判定部の判定結果に応じて、前記複数の交換部品の各々について、前記第１消費量に対する前記第２消費量の比率、又は前記第２消費量に対する前記第１消費量の比率を前記ディスプレーに表示する、請求項１から請求項４のいずれか１項に記載の画像形成装置。
【請求項６】
前記算出部は、前記記録媒体に前記カラー画像を前記画像形成部が形成する際に、第１合計値と第２合計値とを算出し、
前記表示部は、前記第１合計値に対する前記第２合計値の比率、又は前記第２合計値に対する前記第１合計値の比率を前記ディスプレーに表示し、
前記第１合計値は、前記複数の交換部品の全てが前記第１交換部品である場合の前記複数の交換部品の前記消耗品の消費量の合計値を示し、
前記第２合計値は、前記複数の交換部品の全てが前記第２交換部品である場合の前記複数の交換部品の前記消耗品の消費量の合計値を示す、請求項５に記載の画像形成装置。
【請求項７】
前記消耗品は、前記第１交換部品に収納された第１消耗品と、前記第２交換部品に収納された第２消耗品とを含み、
前記第２消費量が前記第１消費量より大きい場合に、
前記算出部は、第２消耗品の前記第２消費量のコストが第１消耗品の前記第１消費量のコストと一致するような前記第２消耗品の単位量当たりのコストを算出し、
前記表示部は、前記第２消耗品の単位量当たりのコストの前記第１消耗品の単位量当たりのコストに対する比率を前記ディスプレーに表示する、請求項１から請求項６のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、装着されているトナーコンテナが純正品以外のものである場合には、トナー残量の表示を停止する。
【先行技術文献】
【特許文献】
【０００３】
【特許文献１】特開２００５−３２６７３２号公報
【発明の概要】
【発明が解決しようとする課題】
【０００４】
特許文献１に記載の画像形成装置では、画像形成装置に装着されたトナーコンテナが非純正品である場合には、トナー残量の表示が停止されるため、ユーザーがトナー残量を確認できない可能性がある。そこで、ユーザーの利便性が低下する可能性がある。
【０００５】
本発明は、上記課題に鑑みてなされたものであり、ユーザーの利便性を向上することが可能な画像形成装置を提供することを目的としている。
【課題を解決するための手段】
【０００６】
本発明に係る画像形成装置は、装着部と、画像形成部と、ディスプレーと、判定部と、算出部と、表示部とを備える。前記装着部は、消耗品を収容する交換部品が装着される。前記画像形成部は、前記消耗品を消費することによって記録媒体に画像を形成する。前記判定部は、前記装着部に装着された前記交換部品が、第１交換部品であるか、前記第１交換部品と相違する第２交換部品であるかを判定する。前記算出部は、前記交換部品が前記第２交換部品であると前記判定部が判定した場合に、前記画像形成部が前記画像を前記記録媒体に形成するために消費される前記消耗品の消費量を算出する。前記表示部は、第１消費量に対する第２消費量の比率、又は前記第２消費量に対する前記第１消費量の比率を前記ディスプレーに表示する。前記第１消費量は、前記交換部品が前記第１交換部品である場合の前記消耗品の消費量を示す。前記第２消費量は、前記交換部品が前記第２交換部品である場合の前記消耗品の消費量を示す。
【発明の効果】
【０００７】
本発明の画像形成装置によれば、ユーザーの利便性を向上できる。
【図面の簡単な説明】
【０００８】
【図１】本発明の実施形態に係る画像形成装置の構成の一例を示す図である。
【図２】本発明の実施形態に係る画像形成部の構成の一例を示す図である。
【図３】本発明の実施形態に係る制御部の構成の一例を示す図である。
【図４】タッチパネルに表示するコンテナ交換表示画面の一例を示す画面図である。
【図５】タッチパネルに表示する各色消費量表示画面の一例を示す画面図である。
【図６】タッチパネルに表示する消費量評価画面の一例を示す画面図である。
【図７】制御部の処理の一例を示すフローチャートである。
【図８】制御部の処理の一例を示すフローチャートである。
【図９】制御部の集計処理の一例を示すフローチャートである。
【発明を実施するための形態】
【０００９】
以下、本発明の実施形態について、図面（図１〜図９）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成を示す図である。画像形成装置１００は、カラー複合機である。
【００１１】
図１に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１２】
画像形成ユニット１は、給送部１２、搬送部Ｌ、トナー供給部１３、画像形成部４、定着部１６及び排出部１７を備える。画像形成部４は、転写部５を含む。
【００１３】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１４】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１５】
トナーコンテナＴＣｃには、シアン色のトナーＴＮ１が収納される。トナーコンテナＴＣｃは、画像形成部４にシアン色のトナーＴＮ１を供給する。トナーコンテナＴＣｍには、マゼンタ色のトナーＴＮ２が収納される。トナーコンテナＴＣｍは、画像形成部４にマゼンタ色のトナーＴＮ２を供給する。トナーコンテナＴＣｙには、イエロー色のトナーＴＮ３が収納される。トナーコンテナＴＣｙは、画像形成部４にイエロー色のトナーＴＮ３を供給する。トナーコンテナＴＣｋには、黒色のトナーＴＮ４が収納される。トナーコンテナＴＣｋは、画像形成部４に黒色のトナーＴＮ４を供給する。シアン色のトナーＴＮ１、マゼンタ色のトナーＴＮ２、イエロー色のトナーＴＮ３及び黒色のトナーＴＮ４は、「消耗品」の一例に相当する。以下の説明において、シアン色のトナーＴＮ１、マゼンタ色のトナーＴＮ２、イエロー色のトナーＴＮ３及び黒色のトナーＴＮ４の各々を、トナーＴＮと総称する場合がある。
【００１６】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００１７】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４の各々を、ＩＣタグ６と総称する場合がある。また、識別情報ＪＤｃ、識別情報ＪＤｍ、識別情報ＪＤｙ及び識別情報ＪＤｋの各々を、識別情報ＪＤと総称する場合がある。
【００１８】
トナー供給部１３には、トナーコンテナＴＣｃ〜トナーコンテナＴＣｋが着脱自在である。トナー供給部１３は、残量センサーＳ１、リーダー７１、残量センサーＳ２、リーダー７２、残量センサーＳ３、リーダー７３、残量センサーＳ４及びリーダー７４を備える。
【００１９】
残量センサーＳ１は、トナーコンテナＴＣｃに収納されているシアン色のトナーＴＮ１の残量ＲＴｃを検出する。リーダー７１は、ＩＣタグ６１からトナーコンテナＴＣｃの識別情報ＪＤｃを読み取る。残量センサーＳ２は、トナーコンテナＴＣｍに収納されているマゼンタ色のトナーＴＮ２の残量ＲＴｍを検出する。リーダー７２は、ＩＣタグ６２からトナーコンテナＴＣｍの識別情報ＪＤｍを読み取る。
【００２０】
残量センサーＳ３は、トナーコンテナＴＣｙに収納されているイエロー色のトナーＴＮ３の残量ＲＴｙを検出する。リーダー７３は、ＩＣタグ６３からトナーコンテナＴＣｙの識別情報ＪＤｙを読み取る。残量センサーＳ４は、トナーコンテナＴＣｋに収納されている黒色のトナーＴＮ４の残量ＲＴｋを検出する。リーダー７４は、ＩＣタグ６４からトナーコンテナＴＣｋの識別情報ＪＤｋを読み取る。以下の説明において、残量センサーＳ１〜残量センサーＳ４の各々を、残量センサーＳと総称する場合がある。また、リーダー７１〜リーダー７４の各々を、リーダー７と総称する場合がある。残量ＲＴｃ、残量ＲＴｍ、残量ＲＴｙ及び残量ＲＴｋの各々を、残量ＲＴと総称する場合がある。
【００２１】
画像形成部４は、用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。画像形成部４については、後述にて図２を参照して詳細に説明する。
【００２２】
定着部１６は、用紙Ｐを加熱及び加圧し、用紙Ｐに形成された画像を用紙Ｐに定着する。排出部１７は、用紙Ｐを画像形成装置１００の外部に排出する。
【００２３】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。タッチパネル１４１は、「ディスプレー」の一例に相当する。
【００２４】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。
【００２５】
次に、図１及び図２を参照して、本発明の実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。
【００２６】
画像形成部４ｃ、画像形成部４ｍ、画像形成部４ｙ及び画像形成部４ｋの各々は、露光部４１、感光体ドラム４２、現像部４３、帯電ローラー４４及びクリーニングブレード４５を備える。画像形成部４ｃ、画像形成部４ｍ、画像形成部４ｙ及び画像形成部４ｋの各々の構成は、供給されるトナーの色が異なるのみで、その他の構成は略同一である。したがって、以下の説明では、シアン色のトナーＴＮ１が供給される画像形成部４ｃの構成について説明し、画像形成部４ｃ以外の画像形成部４ｍ、画像形成部４ｙ及び画像形成部４ｋの構成についての説明は省略する。
【００２７】
画像形成部４ｃは、露光部４１ｃ（４１）、感光体ドラム４２ｃ（４２）、現像部４３ｃ（４３）、帯電ローラー４４ｃ（４４）及びクリーニングブレード４５ｃ（４５）を有する。
【００２８】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーＴＮ１を供給し、静電潜像を現像してトナー像を形成する。このようにして、感光体ドラム４２ｃの周面にシアン色のトナー像が形成される。
【００２９】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアン色のトナーＴＮ１が除去される。
【００３０】
転写部５は、用紙Ｐにトナー像を転写する。転写部５は、一次転写ローラー５１、二次転写ローラー５２、駆動ローラー５３、中間転写ベルト５４及び従動ローラー５５を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３１】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーＴＮを除去する。
【００３２】
画像形成部４は、廃棄トナーコンテナ４６を装着可能に構成される。廃棄トナーコンテナ４６は、廃棄トナーＴＮＤを収納する。廃棄トナーＴＮＤは、クリーニングブレード４５によって除去されたトナーＴＮと、ブレード５６によって除去されたトナーＴＮとを含む。
【００３３】
画像形成部４は、廃棄トナー量センサー４６１を更に備える。廃棄トナー量センサー４６１は、廃棄トナーコンテナ４６に収納された廃棄トナーＴＮＤの量を検出する。
【００３４】
二次転写ローラー５２は、駆動ローラー５３に押圧され、二次転写ローラー５２と駆動ローラー５３との間にニップ部Ｎが形成される。二次転写ローラー５２は、用紙Ｐがニップ部Ｎを通過する際に、中間転写ベルト５４上のトナー像を用紙Ｐに転写する。
【００３５】
次に、図１〜図３を参照して、本発明の実施形態に係る制御部８の構成について説明する。図３は、制御部８の構成の一例を示す図である。
【００３６】
図３に示すように、制御部８は、判定部８０１、検出部８０２、算出部８０３及び表示部８０４を備える。具体的には、制御部８のプロセッサー８１は、制御プログラムを実行することによって、判定部８０１、検出部８０２、算出部８０３及び表示部８０４として機能する。
【００３７】
判定部８０１は、トナー供給部１３に装着されたトナーコンテナＴＣが、第１コンテナＴＣ１であるか、第１コンテナＴＣ１と相違する第２コンテナＴＣ２であるかを判定する。第１コンテナＴＣ１は、例えば、専用品を示す。第２コンテナＴＣ２は、例えば、非専用品を示す。
【００３８】
具体的には、判定部８０１は、リーダー７を介して、トナー供給部１３に装着されたトナーコンテナＴＣの識別情報ＪＤを取得する。そして、判定部８０１は、トナーコンテナＴＣの識別情報ＪＤに基づいて、トナーコンテナＴＣが、第１コンテナＴＣ１であるか、第２コンテナＴＣ２であるかを判定する。
【００３９】
検出部８０２は、残量センサーＳを介して、トナーコンテナＴＣに収納されたトナーＴＮの残量ＲＴを検出する。
【００４０】
算出部８０３は、トナーコンテナＴＣが第２コンテナＴＣ２であると判定部８０１が判定した場合に、画像形成部４が画像を用紙Ｐに形成するために消費されるトナーＴＮの消費量ＱＴを算出する。具体的には、算出部８０３は、検出部８０２の検出結果に基づいて、画像形成部４が画像を用紙Ｐに形成するために消費されるトナーＴＮの消費量ＱＴを算出する。
【００４１】
表示部８０４は、第１消費量ＳＴ１に対する第２消費量ＳＴ２の比率をタッチパネル１４１に表示する。第１消費量ＳＴ１は、トナーコンテナＴＣが第１コンテナＴＣ１である場合のトナーＴＮの消費量ＱＴを示す。第２消費量ＳＴ２は、トナーコンテナＴＣが第２コンテナＴＣ２である場合のトナーＴＮの消費量ＱＴを示す。
【００４２】
以上、図１〜図３を参照して説明したように、本発明の実施形態では、第１消費量ＳＴ１に対する第２消費量ＳＴ２の比率がタッチパネル１４１に表示される。よって、第１消費量ＳＴ１に対する第２消費量ＳＴ２の比率をユーザーが確認できる。したがって、ユーザーの利便性を向上できる。
【００４３】
なお、本発明の実施形態では、表示部８０４が第１消費量ＳＴ１に対する第２消費量ＳＴ２の比率を表示するが、本発明はこれに限定されない。表示部８０４が第２消費量ＳＴ２に対する第１消費量ＳＴ１の比率を表示してもよい。
【００４４】
また、本発明の実施形態では、表示部８０４が第１消費量ＳＴ１に対する第２消費量ＳＴ２の比率を表示するが、本発明はこれに限定されない。表示部８０４が第１廃棄トナー量に対する第２廃棄トナー量の比率を表示してもよい。第１廃棄トナー量は、トナーコンテナＴＣが第１コンテナＴＣ１である場合の廃棄トナーＴＮＤの発生量を示す。第２廃棄トナー量は、トナーコンテナＴＣが第２コンテナＴＣ２である場合の廃棄トナーＴＮＤの発生量を示す。この場合には、第１廃棄トナー量に対する第２廃棄トナー量の比率をユーザーが確認できる。したがって、ユーザーの利便性を向上できる。なお、第２廃棄トナー量は、廃棄トナー量センサー４６１によって検出される。
【００４５】
次に、図３〜図４を参照して、制御部８の構成について更に説明する。図４は、タッチパネル１４１に表示するコンテナ交換表示画面９００の一例を示す画面図である。コンテナ交換表示画面９００は、トナーコンテナＴＣｋが空になった場合に表示部８０４によって表示される。また、図４では、用紙Ｐに形成する画像がモノクロである場合について説明する。
【００４６】
図４に示すように、コンテナ交換表示画面９００には、第１メッセージ表示部９０１、グラフ表示部９０２、第２メッセージ表示部９０３及びＯＫボタン９０４が表示されている。
【００４７】
第１メッセージ表示部９０１には、トナーコンテナＴＣｋが空になった旨のメセージが表示される。第１メッセージ表示部９０１には、例えば「黒色のコンテナが空になりました。コンテナを交換してください。」と表示される。
【００４８】
グラフ表示部９０２には、第１消費量ＳＴ１に対する第２消費量ＳＴ２の比率がグラフで表示される。グラフの横軸は印字率ＰＲを示し、グラフの縦軸は消費量ＱＴを示す。第１消費量ＳＴ１に対応するグラフを実線で示し、第２消費量ＳＴ２に対応するグラフを破線で示している。また、グラフ表示部９０２では、第１消費量ＳＴ１を「第１トナー」と表示し、第２消費量ＳＴ２を「第２トナー」と表示している。第１消費量ＳＴ１に対する第２消費量ＳＴ２の比率が、１．０３であることを、「第１トナー（１００％）」、及び「第２トナー（１０３％）」と表示している。
【００４９】
「印字率ＰＲ」とは、用紙Ｐに形成される画像の積算面積ＳＲ１の、用紙Ｐの面積ＳＲ２に対する比率（ＳＲ１／ＳＲ２）のことである。具体的には、積算面積ＳＲ１は、用紙Ｐに形成されるシアン色のトナーＴＮ１の画像の積算面積と、用紙Ｐに形成されるマゼンタ色のトナーＴＮ２の画像の積算面積と、用紙Ｐに形成されるイエロー色のトナーＴＮ３の画像の積算面積と、用紙Ｐに形成される黒色のトナーＴＮ４の画像の積算面積との和を示す。
【００５０】
図４では、用紙Ｐに形成する画像がモノクロであるため、積算面積ＳＲ１は、用紙Ｐに形成される黒色のトナーＴＮ４の画像の積算面積を示す。
【００５１】
第２メッセージ表示部９０３には、第１消費量ＳＴ１に対する第２消費量ＳＴ２の比率が表示される。第２メッセージ表示部９０３には、例えば「第２トナーの消費量は、第１トナーの消費量の１．０３倍です。」と表示される。
【００５２】
ＯＫボタン９０４は、ユーザーがコンテナ交換表示画面９００に表示された内容を確認した場合にタッチされる。ＯＫボタン９０４がタッチされた場合には、表示部８０４はコンテナ交換表示画面９００を非表示にする。
【００５３】
検出部８０２が検出したトナーＴＮｋの残量ＲＴｋが所定量ＲＴＡ以下である場合に、表示部８０４は、コンテナ交換表示画面９００をタッチパネル１４１に表示する。所定量ＲＴＡは、例えば２グラムを示す。すなわち、残量ＲＴが所定量ＲＴＡ以下であるとは、トナーコンテナＴＣｋが空であることを示す。
【００５４】
算出部８０３は、用紙Ｐに形成する画像の印字率ＰＲを算出し、印字率ＰＲに基づいて第１消費量ＳＴ１を算出する。第１消費量ＳＴ１は、トナーコンテナＴＣが第１コンテナＴＣ１である場合のトナーＴＮの消費量を示し、第１コンテナＴＣ１は、例えば、専用品を示す。すなわち、第１消費量ＳＴ１は、専用品のトナーＴＮの消費量を示す。専用品のトナーＴＮに関しては、多くの実験データが蓄積されている。したがって、例えば、印字率ＰＲと第１消費量ＳＴ１との関係を示すデータを記憶部８２に記憶しておき、印字率ＰＲと第１消費量ＳＴ１との関係を示すデータに基づき、算出部８０３は、印字率ＰＲに対応する第１消費量ＳＴ１を算出する。印字率ＰＲと第１消費量ＳＴ１との関係を示すデータとは、例えば印字率ＰＲの複数の値と、印字率ＰＲの複数の値の各々に対応する第１消費量ＳＴ１の値とを示すデータである。
【００５５】
算出部８０３は、検出部８０２の検出結果に基づいて、第２消費量ＳＴ２を算出する。例えば、画像形成部４が、プリントジョブＪＢを実行する場合について以下に説明する。以下の説明において、プリントジョブＪＢは、印字率ＰＲの画像を１００枚の用紙Ｐに形成する。算出部８０３は、まず、画像を用紙Ｐに形成する直前の残量ＲＴｋを取得する。そして、算出部８０３は、プリントジョブＪＢを実行した直後の残量ＲＴｋを取得する。次に、算出部８０３は、直前の残量ＲＴｋから直後の残量ＲＴｋを引いた差を枚数（１００枚）で除することによって１枚当たりの第２消費量ＳＴ２を算出する。
【００５６】
以上、図３〜図４を参照して説明したように、本発明の実施形態では、トナーＴＮｋの残量ＲＴｋが所定量ＲＴＡ以下である場合に、表示部８０４は、第１消費量ＳＴ１に対する第２消費量ＳＴ２の比率をタッチパネル１４１に表示する。よって、例えば所定量ＲＴＡを極めて少ない量（例えば、２グラム）に設定することによって、第２コンテナＴＣ２に収納されたトナーＴＮ４が空になったときに、第１消費量ＳＴ１に対する第２消費量ＳＴ２の比率をタッチパネル１４１に表示できる。第２コンテナＴＣ２に収納されたトナーＴＮ４が空になったときには、第２コンテナＴＣ２を別のトナーコンテナＴＣと交換する。よって、ユーザーは、第１消費量ＳＴ１に対する第２消費量ＳＴ２の比率に基づいて、別のトナーコンテナＴＣを第１コンテナＴＣ１にするか、第２コンテナＴＣ２にするかを決定できる。したがって、ユーザーの利便性を更に向上できる。
【００５７】
また、検出部８０２が、第２コンテナＴＣ２に収納されたトナーＴＮ４の残量ＲＴｋを検出し、算出部８０３は、検出部８０２の検出結果に基づいて、第２消費量ＳＴ２を算出する。したがって、第２消費量ＳＴ２を正確に算出できる。
【００５８】
更に、算出部８０３は、用紙Ｐに形成された画像の印字率ＰＲを算出し、印字率ＰＲに基づいて第１消費量ＳＴ１を算出する。したがって、第１消費量ＳＴ１を容易に算出できる。
【００５９】
なお、本発明の実施形態では、図４のグラフ表示部９０２に表示されるグラフの横軸が印字率ＰＲを示すが、本発明はこれに限定されない。図４のグラフ表示部９０２に表示されるグラフの横軸が、例えば「ドット数」でもよい。「ドット数」は、用紙Ｐに形成される画像に含まれるドットの個数の積算値を示す。
【００６０】
また、本発明の実施形態では、トナーＴＮｋの残量ＲＴｋが所定量ＲＴＡ以下である場合に、表示部８０４は、第１消費量ＳＴ１に対する第２消費量ＳＴ２の比率をタッチパネル１４１に表示するが、本発明はこれに限定されない。例えば、ユーザーが所望するタイミングで、表示部８０４が、第１消費量ＳＴ１に対する第２消費量ＳＴ２の比率をタッチパネル１４１に表示してもよい。この場合には、ユーザーの利便性を更に向上できる。
【００６１】
次に、図３〜図５を参照して、制御部８の構成について更に説明する。図５は、タッチパネル１４１に表示する各色消費量表示画面９１０の一例を示す画面図である。各色消費量表示画面９１０は、トナーコンテナＴＣｃ〜トナーコンテナＴＣｋのうちの少なくとも１つのトナーコンテナＴＣが空になった場合に表示部８０４によって表示される。図５では、用紙Ｐに形成する画像がカラーである場合について説明する。
【００６２】
図５に示すように、各色消費量表示画面９１０には、第１グラフ表示部９１１、第２グラフ表示部９１２、第３グラフ表示部９１３、第４グラフ表示部９１４、評価画面表示ボタン９１５及びＯＫボタン９１６が表示されている。
【００６３】
第１グラフ表示部９１１には、シアン色のトナーＴＮ１について第１消費量ＳＴ１に対する第２消費量ＳＴ２の比率がグラフで表示される。すなわち、第１グラフ表示部９１１には、消費量ＱＴＣ１に対する消費量ＱＴＣ２の比率がグラフで表示される。消費量ＱＴＣ１は、トナーコンテナＴＣｃが第１コンテナＴＣ１である場合のシアン色のトナーＴＮ１の消費量ＱＴＣを示す。消費量ＱＴＣ２は、トナーコンテナＴＣｃが第２コンテナＴＣ２である場合のシアン色のトナーＴＮ１の消費量ＱＴＣを示す。消費量ＱＴＣは、シアン色のトナーＴＮ１の消費量を示す。
【００６４】
グラフの横軸は印字率ＰＲＣを示し、グラフの縦軸は消費量ＱＴＣを示す。印字率ＰＲＣは、シアン色のトナーＴＮ１の画像の積算面積ＳＲ１の、用紙Ｐの面積ＳＲ２に対する比率（ＳＲ１／ＳＲ２）のことである。第１消費量ＳＴ１に対応するグラフを実線で示し、第２消費量ＳＴ２に対応するグラフを破線で示している。第１グラフ表示部９１１では、第１消費量ＳＴ１に対応するグラフを「第１トナー」と表示し、第２消費量ＳＴ２に対応するグラフを「第２トナー」と表示している。また、第１消費量ＳＴ１に対する第２消費量ＳＴ２の比率が、１．０２であることを、「第１トナー（１００％）」、及び「第２トナー（１０２％）」で示している。
【００６５】
第２グラフ表示部９１２には、マゼンタ色のトナーＴＮ２について第１消費量ＳＴ１に対する第２消費量ＳＴ２の比率がグラフで表示される。すなわち、第２グラフ表示部９１２には、消費量ＱＴＭ１に対する消費量ＱＴＭ２の比率がグラフで表示される。消費量ＱＴＭ１は、トナーコンテナＴＣｍが第１コンテナＴＣ１である場合のマゼンタ色のトナーＴＮ２の消費量ＱＴＭを示す。消費量ＱＴＣ２は、トナーコンテナＴＣｍが第２コンテナＴＣ２である場合のマゼンタ色のトナーＴＮ２の消費量ＱＴＭを示す。消費量ＱＴＭは、マゼンタ色のトナーＴＮ２の消費量を示す。
【００６６】
グラフの横軸は印字率ＰＲＭを示し、グラフの縦軸は消費量ＱＴＭを示す。印字率ＰＲＭは、マゼンタ色のトナーＴＮ２の画像の積算面積ＳＲ１の、用紙Ｐの面積ＳＲ２に対する比率（ＳＲ１／ＳＲ２）のことである。第１消費量ＳＴ１に対応するグラフを実線で示し、第２消費量ＳＴ２に対応するグラフを破線で示している。第２グラフ表示部９１２では、第１消費量ＳＴ１に対応するグラフを「第１トナー」と表示し、第２消費量ＳＴ２に対応するグラフを「第２トナー」と表示している。また、第１消費量ＳＴ１に対する第２消費量ＳＴ２の比率が、１．０４であることを、「第１トナー（１００％）」、及び「第２トナー（１０４％）」で示している。
【００６７】
第３グラフ表示部９１３には、イエロー色のトナーＴＮ３について第１消費量ＳＴ１に対する第２消費量ＳＴ２の比率がグラフで表示される。すなわち、第３グラフ表示部９１３には、消費量ＱＴＹ１に対する消費量ＱＴＹ２の比率がグラフで表示される。消費量ＱＴＹ１は、トナーコンテナＴＣｙが第１コンテナＴＣ１である場合のイエロー色のトナーＴＮ３の消費量ＱＴＹを示す。消費量ＱＴＹ２は、トナーコンテナＴＣｙが第２コンテナＴＣ２である場合のイエロー色のトナーＴＮ３の消費量ＱＴＹを示す。消費量ＱＴＹは、イエロー色のトナーＴＮ３の消費量を示す。
【００６８】
グラフの横軸は印字率ＰＲＹを示し、グラフの縦軸は消費量ＱＴＹを示す。印字率ＰＲＹは、イエロー色のトナーＴＮ３の画像の積算面積ＳＲ１の、用紙Ｐの面積ＳＲ２に対する比率（ＳＲ１／ＳＲ２）のことである。第１消費量ＳＴ１に対応するグラフを実線で示し、第２消費量ＳＴ２に対応するグラフを破線で示している。第３グラフ表示部９１３では、第１消費量ＳＴ１に対応するグラフを「第１トナー」と表示し、第２消費量ＳＴ２に対応するグラフを「第２トナー」と表示している。また、第１消費量ＳＴ１に対する第２消費量ＳＴ２の比率が、１．０３であることを、「第１トナー（１００％）」、及び「第２トナー（１０３％）」で示している。
【００６９】
第４グラフ表示部９１４には、黒色のトナーＴＮ４について第１消費量ＳＴ１に対する第２消費量ＳＴ２の比率がグラフで表示される。すなわち、第４グラフ表示部９１４には、消費量ＱＴＫ１に対する消費量ＱＴＫ２の比率がグラフで表示される。消費量ＱＴＫ１は、トナーコンテナＴＣｋが第１コンテナＴＣ１である場合の黒色のトナーＴＮ４の消費量ＱＴＫを示す。消費量ＱＴＫ２は、トナーコンテナＴＣｋが第２コンテナＴＣ２である場合の黒色のトナーＴＮ４の消費量ＱＴＫを示す。消費量ＱＴＫは、黒色のトナーＴＮ４の消費量を示す。
【００７０】
グラフの横軸は印字率ＰＲＫを示し、グラフの縦軸は消費量ＱＴＫを示す。印字率ＰＲＫは、黒色のトナーＴＮ４の画像の積算面積ＳＲ１の、用紙Ｐの面積ＳＲ２に対する比率（ＳＲ１／ＳＲ２）のことである。第１消費量ＳＴ１に対応するグラフを実線で示し、第２消費量ＳＴ２に対応するグラフを破線で示している。第４グラフ表示部９１４では、第１消費量ＳＴ１に対応するグラフを「第１トナー」と表示し、第２消費量ＳＴ２に対応するグラフを「第２トナー」と表示している。また、第１消費量ＳＴ１に対する第２消費量ＳＴ２の比率が、１．０３であることを、「第１トナー（１００％）」、及び「第２トナー（１０３％）」とで示している。
【００７１】
評価画面表示ボタン９１５は、図６に示す消費量評価画面９２０を表示する場合にユーザーによってタッチされるボタンを示す。評価画面表示ボタン９１５がタッチされた場合には、表示部８０４は、各色消費量表示画面９１０を非表示にして、消費量評価画面９２０を表示する。
【００７２】
ＯＫボタン９１６は、ユーザーが各色消費量表示画面９１０に表示された内容を確認した場合にタッチされる。ＯＫボタン９１６がタッチされた場合には、表示部８０４は各色消費量表示画面９１０を非表示にする。
【００７３】
判定部８０１は、トナーコンテナＴＣｃ〜トナーコンテナＴＣｋの各々が、第１コンテナＴＣ１であるか、第２コンテナＴＣ２であるかを判定する。
【００７４】
表示部８０４は、判定部８０１の判定結果に応じて、トナーコンテナＴＣｃ〜トナーコンテナＴＣｋの各々について、第１消費量ＳＴ１に対する第２消費量ＳＴ２の比率をタッチパネル１４１に表示する。具体的には、トナーコンテナＴＣｃ〜トナーコンテナＴＣｋのうち少なくとも１つのトナーコンテナＴＣが第２コンテナＴＣ２であると判定され、且つ、少なくとも１つの第２コンテナＴＣ２が空になった場合に、表示部８０４は、各色消費量表示画面９１０をタッチパネル１４１に表示する。
【００７５】
以上、図３〜図５を参照して説明したように、本発明の実施形態では、トナーコンテナＴＣｃ〜トナーコンテナＴＣｋの各々について、第１消費量ＳＴ１に対する第２消費量ＳＴ２の比率をタッチパネル１４１に表示する。よって、トナーコンテナＴＣｃ〜トナーコンテナＴＣｋの各々について、第１消費量ＳＴ１に対する第２消費量ＳＴ２の比率をユーザーが確認できる。したがって、ユーザーの利便性を更に向上できる。
【００７６】
次に、図３〜図６を参照して、制御部８の構成について更に説明する。図６は、タッチパネル１４１に表示する消費量評価画面９２０の一例を示す画面図である。消費量評価画面９２０は、図５に示す各色消費量表示画面９１０の評価画面表示ボタン９１５がタッチされた場合に表示される。
【００７７】
図６に示すように、消費量評価画面９２０には、グラフ表示部９２１と、メッセージ表示部９２２と、ＯＫボタン９２３とが表示されている。
【００７８】
グラフ表示部９２１は、第１合計消費量ＡＳ１に対する第２合計消費量ＡＳ２の比率がグラフで表示される。第１合計消費量ＡＳ１は、消費量ＱＴＣ１と消費量ＱＴＭ１と消費量ＱＴＹ１と消費量ＱＴＫ１との和を示す。第２合計消費量ＡＳ２は、消費量ＱＴＣ２と消費量ＱＴＭ２と消費量ＱＴＹ２と消費量ＱＴＫ２との和を示す。
【００７９】
グラフの横軸は合計印字率ＡＲを示し、グラフの縦軸は合計消費量ＡＳを示す。合計印字率ＡＲは、印字率ＰＲＣと印字率ＰＲＭと印字率ＰＲＹと印字率ＰＲＫとの和を示す。第１合計消費量ＡＳ１に対応するグラフを実線で示し、第２合計消費量ＡＳ２に対応するグラフを破線で示している。グラフ表示部９２１では、第１合計消費量ＡＳ１に対応するグラフを「第１トナー」と表示し、第２合計消費量ＡＳ２に対応するグラフを「第２トナー」と表示している。また、第１合計消費量ＡＳ１に対する第２合計消費量ＡＳ２の比率が、１．０３であることを、「第１トナー（１００％）」、及び「第２トナー（１０３％）」で示している。
【００８０】
メッセージ表示部９２２には、第１コンテナＴＣ１と第２コンテナＴＣ２とのコストの評価結果が表示される。メッセージ表示部９２２には、例えば、「第２コンテナの価格が第２コンテナの価格の９７％以下である場合には、第２コンテナが第１コンテナよりもコスト的に有利です。」と表示されている。
【００８１】
算出部８０３は、第１合計消費量ＡＳ１と第２合計消費量ＡＳ２とを算出する。第１合計消費量ＡＳ１は、トナーコンテナＴＣｃ〜トナーコンテナＴＣｋの全てが第１コンテナＴＣ１である場合の第１消費量ＳＴ１の合計値を示す。第２合計消費量ＡＳ２は、トナーコンテナＴＣｃ〜トナーコンテナＴＣｋの全てが第２コンテナＴＣ２である場合の第２消費量ＳＴ２の合計値を示す。
【００８２】
表示部８０４は、第１合計消費量ＡＳ１に対する第２合計消費量ＡＳ２の比率をタッチパネル１４１に表示する。
【００８３】
算出部８０３は、第２トナーＴＮＢの第２合計消費量ＡＳ２のコストが第１トナーＴＮＡの第１合計消費量ＡＳ１のコストと一致するような第２トナーＴＮＢの単位量当たりのコストＣＳ２を算出する。第１トナーＴＮＡは、第１コンテナＴＣ１に収納されたトナーＴＮを示す。第２トナーＴＮＢは、第２コンテナＴＣ２に収納されたトナーＴＮを示す。すなわち、次の式（１）を満たす第２トナーＴＮＢの単位量当たりのコストＣＳ２を算出する。
コストＣＳ２×第２合計消費量ＡＳ２
＝コストＣＳ１×第１合計消費量ＡＳ１      （１）
コストＣＳ１は、第１トナーＴＮＡの単位量当たりのコストを示す。コストＣＳ２は、第２トナーＴＮＢの単位量当たりのコストを示す。単位量は、例えば１グラムを示す。図６では、第１合計消費量ＡＳ１に対する第２合計消費量ＡＳ２の比率が、１．０３であるため、式（１）を満たすようなコストＣＳ２は、コストＣＳ１の約９７（≒１００／１０３×１００）％になる。
【００８４】
表示部８０４は、コストＣＳ２のコストＣＳ１に対する比率をタッチパネル１４１に表示する。図６では、コストＣＳ２は、コストＣＳ１の約９７％であることがメッセージ表示部９２２に表示されている。
【００８５】
以上、図３〜図６を参照して説明したように、本発明の実施形態では、算出部８０３は、第１合計消費量ＡＳ１と第２合計消費量ＡＳ２とを算出し、表示部８０４は、第１合計消費量ＡＳ１に対する第２合計消費量ＡＳ２の比率をタッチパネル１４１に表示する。よって、第１合計消費量ＡＳ１に対する第２合計消費量ＡＳ２の比率をユーザーが確認できる。したがって、ユーザーの利便性を更に向上できる。
【００８６】
また、算出部８０３は、式（１）を満たすコストＣＳ２を算出する。表示部８０４は、コストＣＳ２のコストＣＳ１に対する比率をタッチパネル１４１に表示する。よって、ユーザーは、コストＣＳ２のコストＣＳ１に対する比率を確認できる。したがって、ユーザーの利便性を更に向上できる。
【００８７】
具体的には、第２コンテナＴＣ２の単価の第１コンテナＴＣ１の単価に対する比率が、コストＣＳ２のコストＣＳ１に対する比率より大きい場合には、第１コンテナＴＣ１を使用する方が、第２コンテナＴＣ２を使用するよりコスト的に有利であるとユーザーは判断できる。
【００８８】
なお、本発明の実施形態では、表示部８０４が、第１合計消費量ＡＳ１に対する第２合計消費量ＡＳ２の比率を表示するが、本発明はこれに限定されない。表示部８０４が、第２合計消費量ＡＳ２に対する第１合計消費量ＡＳ１の比率を表示してもよい。
【００８９】
また、本発明の実施形態では、算出部８０３が、式（１）を満たすコストＣＳ２を算出したが、本発明はこれに限定されない。算出部８０３が、例えば、第２トナーＴＮＢの第２消費量ＳＴ２のコストが第１トナーＴＮＡの第１消費量ＳＴ１のコストＣＳ１と一致するような第２トナーＴＮＢの単位量当たりのコストＣＳ２を算出してもよい。すなわち、次の式（２）を満たすコストＣＳ２を算出してもよい。
コストＣＳ２×第２消費量ＳＴ２
＝コストＣＳ１×第１消費量ＳＴ１      （２）
【００９０】
また、本発明の実施形態では、第１合計消費量ＡＳ１が、消費量ＱＴＣ１と消費量ＱＴＭ１と消費量ＱＴＹ１と消費量ＱＴＫ１との和を示すが、本発明はこれに限定されない。第１合計消費量ＡＳ１が、例えば、消費量ＱＴＣ１と消費量ＱＴＭ１と消費量ＱＴＹ１と消費量ＱＴＫ１との重み付き加算の結果（和）でもよいし、重み付き平均でもよい。この場合には、重みを適正に設定することによって、更に適正な値を表示できる。例えば、重みは、トナーＴＮの単位量当たりのコストでもよい。
【００９１】
同様に、第２合計消費量ＡＳ２は、消費量ＱＴＣ２と消費量ＱＴＭ２と消費量ＱＴＹ２と消費量ＱＴＫ２との和を示すが、第２合計消費量ＡＳ２が、例えば、消費量ＱＴＣ２と消費量ＱＴＭ２と消費量ＱＴＹ２と消費量ＱＴＫ２との重み付き加算の結果（和）でもよいし、重み付き平均でもよい。
【００９２】
次に、図３〜図９を参照して、制御部８の処理について説明する。図７及び図８は、制御部８の処理の一例を示すフローチャートである。図７及び図８では、用紙Ｐに形成する画像がモノクロである場合について説明する。
図７に示すように、ステップＳ１０１において、判定部８０１は、リーダー７を介して、トナー供給部１３に装着されたトナーコンテナＴＣの識別情報ＪＤを取得する。
次に、ステップＳ１０３において、判定部８０１は、トナー供給部１３に装着されたトナーコンテナＴＣが、第２コンテナＴＣ２であるか否かを判定する。
トナー供給部１３に装着されたトナーコンテナＴＣが第２コンテナＴＣ２ではないと判定部８０１が判定した場合（ステップＳ１０３でＮＯ）には、処理が終了される。トナー供給部１３に装着されたトナーコンテナＴＣが第２コンテナＴＣ２であると判定部８０１が判定した場合（ステップＳ１０３でＹＥＳ）には、処理がステップＳ１０５に進む。
【００９３】
そして、ステップＳ１０５において、制御部８が、プリントジョブＪＢを受け付けたか否かを判定する。プリントジョブＪＢは、用紙Ｐに画像を形成する旨のジョブを示す。
プリントジョブＪＢを受け付けていないと制御部８が判定した場合（ステップＳ１０５でＮＯ）には、処理が待機状態になる。プリントジョブＪＢを受け付けたと制御部８が判定した場合（ステップＳ１０５でＹＥＳ）には、処理がステップＳ１０７に進む。
そして、ステップＳ１０７において、算出部８０３は、用紙Ｐに形成する画像の印字率ＰＲを算出する。
次に、ステップＳ１０９において、検出部８０２は、残量センサーＳを介して、トナーコンテナＴＣに収納されたトナーＴＮの残量ＲＴを検出する。
【００９４】
次に、ステップＳ１１１において、制御部８は、プリントジョブＪＢを実行したか否かを判定する。
プリントジョブＪＢを実行していないと制御部８が判定した場合（ステップＳ１１１でＮＯ）には、処理が待機状態になる。プリントジョブＪＢを実行したと制御部８が判定した場合（ステップＳ１１１でＹＥＳ）には、処理がステップＳ１１３に進む。
そして、ステップＳ１１３において、検出部８０２は、残量センサーＳを介して、トナーコンテナＴＣに収納されたトナーＴＮの残量ＲＴを検出する。
次に、ステップＳ１１５において、算出部８０３は、第２消費量ＳＴ２を算出する。具体的には、算出部８０３は、ステップＳ１０９で検出した残量ＲＴからステップＳ１１３で検出した残量ＲＴを減じた差を、第２消費量ＳＴ２として算出する。
【００９５】
次に、図８に示すように、ステップＳ１１７において、算出部８０３は、第１消費量ＳＴ１を算出する。
次に、ステップＳ１１９において、制御部８は、「集計処理」を実行する。「集計処理」は、合計印字率ＡＲ、第１合計消費量ＡＳ１及び第２合計消費量ＡＳ２を算出する処理を示す。「集計処理」については、後述にて図９を参照して詳細に説明する。
次に、ステップＳ１２１において、制御部８は、残量ＲＴが所定量ＲＴＡ以下であるか否かを判定する。残量ＲＴが所定量ＲＴＡ以下であるとは、第２コンテナＴＣ２が空であることを示す。
残量ＲＴが所定量ＲＴＡ以下ではないと制御部８が判定した場合（ステップＳ１２１でＮＯ）には、処理が図７に示すステップＳ１０５に戻る。残量ＲＴが所定量ＲＴＡ以下であると制御部８が判定した場合（ステップＳ１２１でＹＥＳ）には、処理がステップＳ１２３に進む。
そして、ステップＳ１２３において、表示部８０４は、コンテナ交換表示画面９００をタッチパネル１４１に表示する。
次に、ステップＳ１２５において、制御部８は、第２コンテナＴＣ２が交換されたか否かを判定する。
第２コンテナＴＣ２が交換されていないと制御部８が判定した場合（ステップＳ１２５でＮＯ）には、処理が待機状態になる。第２コンテナＴＣ２が交換されたと制御部８が判定した場合（ステップＳ１２５でＹＥＳ）には、処理が図７のステップＳ１０１へリターンする。
【００９６】
図９は、制御部８の「集計処理」の一例を示すフローチャートである。
図９に示すように、ステップＳ２０１において、算出部８０３は、合計印字率ＡＲが印字率ＰＲだけ増加するように合計印字率ＡＲを更新する。
次に、ステップＳ２０３において、算出部８０３は、第１合計消費量ＡＳ１が第１消費量ＳＴ１だけ増加するように第１合計消費量ＡＳ１を更新する。
次に、ステップＳ２０５において、算出部８０３は、第２合計消費量ＡＳ２が第２消費量ＳＴ２だけ増加するように第２合計消費量ＡＳ２を更新し、処理が図８に示すステップＳ１２１へリターンする。
【００９７】
以上、図３〜図９を参照して説明したように、本発明の実施形態では、表示部８０４は、タッチパネル１４１にコンテナ交換表示画面９００を表示するが、本発明はこれに限定されない。表示部８０４が、各色消費量表示画面９１０を表示してもよい。
【００９８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９９】
（１）図１及び図２を参照して説明したように、本発明の実施形態では、「消耗品」がトナーであり、「交換部品」がトナーコンテナＴＣであるが、本発明はこれに限定されない。「消耗品」を消費することによって用紙Ｐに画像を形成すればよい。例えば、「消耗品」がインクであり、「交換部品」がインクカートリッジでもよい。この場合には、「画像形成装置」は、インクジェット記録装置である。
【０１００】
（２）図１及び図２を参照して説明したように、本発明の実施形態では、画像形成装置１００がカラー複合機であるが、本発明はこれに限定されない。画像形成装置１００が用紙Ｐに画像を形成すればよい。例えば、画像形成装置１００がモノクロの複合機でもよいし、画像形成装置１００がカラープリンターでもよい。
【０１０１】
（３）図１〜図３を参照して説明したように、本発明の実施形態では、第１コンテナＴＣ１が、専用品を示し、第２コンテナＴＣ２が非専用品を示すが、本発明はこれに限定されない。第１コンテナＴＣ１が「第１品質」のトナーを収納し、第２コンテナＴＣ２が「第２品質」のトナーを収納していればよい。「第１品質」のトナーは、「第２品質」のトナーと比較して品質が相違する。
【産業上の利用可能性】
【０１０２】
本発明は、画像形成装置の分野に利用可能である。
【符号の説明】
【０１０３】
１００    画像形成装置
１    画像形成ユニット
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
５    転写部
５１、５１ｃ、５１ｍ、５１ｙ、５１ｋ    一次転写ローラー
５２    二次転写ローラー
５３    駆動ローラー
５４    中間転写ベルト
１３    トナー供給部（装着部）
ＴＣ、ＴＣｃ、ＴＣｍ、ＴＣｙ、ＴＣｋ    トナーコンテナ（交換部品）
６、６１、６２、６３、６４    ＩＣタグ
Ｓ、Ｓ１、Ｓ２、Ｓ３、Ｓ４    残量センサー
ＲＴ、ＲＴｃ、ＲＴｍ、ＲＴｙ、ＲＴｋ    残量
７、７１、７２、７３、７４    リーダー
１４    操作パネル
１４１    タッチパネル（ディスプレー）
８    制御部
８１    プロセッサー
８０１    判定部
８０２    検出部
８０３    算出部
８０４    表示部
８２    記憶部
２    画像読取ユニット
３    原稿搬送ユニット
【図１】
2019086613.tif 000003
【図２】
2019086613.tif 000004
【図３】
2019086613.tif 000005
【図４】
2019086613.tif 000006
【図５】
2019086613.tif 000007
【図６】
2019086613.tif 000008
【図７】
2019086613.tif 000009
【図８】
2019086613.tif 000010
【図９】
2019086613.tif 000011